(57)【特許請求の範囲】
【請求項１】
電源回路および情報の授受を行う情報口を具備し壁に固定される本体モジュールと、本体モジュールの前面側に着脱可能に覆着され、本体モジュールに装着された状態で前記電源回路から電力供給を受ける情報入力手段および情報出力手段の少なくとも一方をパネル本体に具備する露出パネルとを備え、本体モジュールは、操作部を具備する操作子の操作に応じて電源回路への通電をオンオフし露出パネルへの電力供給をオンオフする電源スイッチを有し、露出パネルには、本体モジュールに露出パネルを装着した状態で露出パネルの前面側から操作子の操作部を操作可能とする操作窓が形成されており、
操作子は、露出パネルに設けられ、パネル本体に対して移動可能となるようにパネル本体に保持されていることを特徴とする情報通信装置。
【請求項２】
前記操作子は、前記露出パネルの前面から前記操作部を突出させるように配置されていることを特徴とする請求項１記載の情報通信装置。
【請求項３】
前記露出パネルには、前記操作子の前記操作部を覆う蓋体が着脱可能に取り付けられることを特徴とする請求項１または請求項２に記載の情報通信装置。
【請求項４】
前記蓋体は、前記露出パネルの前面の周部に覆着される枠状のプレートカバーからなることを特徴とする請求項３記載の情報通信装置。
【発明の詳細な説明】
【技術分野】
【０００１】
本発明は、壁に取り付けて使用される情報通信装置に関するものである。
【背景技術】
【０００２】
従来から、この種の情報通信装置として、たとえば宅外に設置された相手側装置としてのドアホン子器に対して信号線を用いて接続されることによりインターホンシステムを構築し、相手側装置との間で通話可能となるもの（インターホン親機）などが提供されている（たとえば特許文献１参照）。特許文献１に例示された情報通信装置は、壁内に器体の後部が埋め込まれた形で壁に取り付けられる埋込型の情報通信装置である。
【０００３】
なお、インターホン親機として用いる情報通信装置には、映像表示部を備え、カメラが設けられた相手側装置に接続されることにより、相手側装置のカメラで撮像された映像を表示することができるものもある。
【０００４】
ところで、この種の情報通信装置に関して、壁に固定される本体モジュールと、本体モジュールの前面側に着脱可能に覆着され、本体モジュールに装着された状態で本体モジュールに設けられた電源回路から電力供給を受ける露出パネルとに情報通信装置を分割可能とし、たとえば本体モジュールと露出パネルとを個別に交換できるようにすることが考えられる。
【０００５】
ここにおいて、情報通信装置のメンテナンス（たとえば修理、点検）や露出パネル表面の清掃の際などに電源回路への通電を遮断できるように、電源回路を有する本体モジュールに電源回路への通電をオンオフするための電源スイッチを配設することが一般的である。この構成では、電源スイッチの操作は、本体モジュールの前面側に覆着されている露出パネルを一旦外して行われることとなる。
【特許文献１】特開平６−２９１８１８号公報
【発明の開示】
【発明が解決しようとする課題】
【０００６】
しかし、情報通信装置のユーザが頻繁に情報通信装置の清掃を行う場合、あるいは節電の目的で電源回路への通電をオフする場合など、ユーザによっては電源回路への通電が頻繁にオンオフされることもあり、このような場合に電源回路への通電のオンオフ操作の度に露出パネルを取り外す必要があるのは不便である。
【０００７】
本発明は上記事由に鑑みて為されたものであって、電源回路への通電のオンオフ操作が容易な情報通信装置を提供することを目的とする。
【課題を解決するための手段】
【０００８】
請求項１の発明は、電源回路および情報の授受を行う情報口を具備し壁に固定される本体モジュールと、本体モジュールの前面側に着脱可能に覆着され、本体モジュールに装着された状態で前記電源回路から電力供給を受ける情報入力手段および情報出力手段の少なくとも一方をパネル本体に具備する露出パネルとを備え、本体モジュールが、操作部を具備する操作子の操作に応じて電源回路への通電をオンオフし露出パネルへの電力供給をオンオフする電源スイッチを有し、露出パネルには、本体モジュールに露出パネルを装着した状態で露出パネルの前面側から操作子の操作部を操作可能とする操作窓が形成されており、操作子が、露出パネルに設けられ、パネル本体に対して移動可能となるようにパネル本体に保持されていることを特徴とする。
【０００９】
この構成によれば、電源スイッチは操作部を具備する操作子の操作に応じて電源回路への通電をオンオフするものであって、前記操作部は、露出パネルに形成された操作窓により本体モジュールに露出パネルを装着した状態で露出パネルの前面側から操作可能となるので、露出パネルを本体モジュールから取り外すことなく、電源回路への通電を容易にオンオフ操作することができる。したがって、ユーザが頻繁に情報通信装置の清掃を行う場合や、節電の目的で電源回路への通電をオフする場合など、電源回路への通電が頻繁にオンオフされる場合に、露出パネルの着脱に係るユーザの負担を軽減することができる。
【００１０】
請求項２の発明は、請求項１の発明において、前記操作子が、前記露出パネルの前面から前記操作部を突出させるように配置されていることを特徴とする。
【００１１】
この構成によれば、ユーザは特別な治具を用いることなく自身の手で操作子を操作することが可能であるから、電源回路への通電のオンオフ操作がより簡単になる。
【００１４】
請求項３の発明は、請求項１または請求項２の発明において、前記露出パネルには、前記操作子の前記操作部を覆う蓋体が着脱可能に取り付けられることを特徴とする。
【００１５】
この構成によれば、蓋体によって操作子の操作部を覆うことができるので、蓋体を露出パネルに取り付けた状態では、電源回路への通電のオンオフ操作が禁止され、ユーザの手が操作子に接触することなどによる電源スイッチの誤操作を回避できる。
【００１６】
請求項４の発明は、請求項３の発明において、前記蓋体が、前記露出パネルの前面の周部に覆着される枠状のプレートカバーからなることを特徴とする。
【００１７】
この構成によれば、プレートカバーを露出パネルに取り付けた状態では、電源回路への通電のオンオフ操作が禁止され、ユーザの手が操作子に接触することなどによる電源スイッチの誤操作を回避できる。
【発明の効果】
【００１８】
本発明は、本体モジュールを露出パネルに装着したままであっても電源スイッチの操作を可能としたものであるから、電源回路への通電のオンオフ操作が容易になるという利点がある。
【発明を実施するための最良の形態】
【００１９】
以下の各実施形態では、宅内の壁に取り付けられ、宅外に設置された相手側装置としてのドアホン子器に対して信号線を用いて接続されることによりインターホンシステムを構築し、相手側装置との間で通信（通話）可能となるインターホン親機を情報通信装置の一例として、本発明の情報通信装置の構成を説明する。
【００２０】
この情報通信装置は映像表示部を備えており、来訪者を撮像するカメラ部が設けられた相手側装置に接続されることにより、相手側装置のカメラ部で撮像された映像を表示することができる。なお、相手側装置は、カメラ部の他、操作入力が可能な操作手段と、スピーカおよびマイクロフォンを具備し情報通信装置との通話時に音声の入出力を行う音声入出力部と、音声信号や映像信号の入出力を行う信号処理部と、信号線が接続される端子部とを有している。
【００２１】
（実施形態１）
本実施形態の情報通信装置Ａは、図１（ａ）に示すように、壁内に後部を収める形で壁に固定される本体モジュールＭと、本体モジュールＭの前面側に着脱可能に装着される露出パネルＰとを備えている。以下では、情報通信装置Ａを壁に取り付けた状態での上下（図１（ａ）の上下）左右を上下左右として情報通信装置Ａの構成を説明する。
【００２２】
本体モジュールＭは、図２（ａ）に示すように、前面開口の箱状に形成されたボディ１と、ボディ１の前面に覆着されるカバー２とで構成される器体３を備え、種々の電気部品が実装されている回路基板４（図１（ａ）参照）が器体３内に収納された構成を有する。さらに、本体モジュールＭは、商用電源供給用の電源線が接続される電源端子部５（図３参照）と、信号線が接続される信号端子部６（図３参照）とを器体３から露出させるように背面側に備えている。ボディ１とカバー２とは、カバー２の上下方向の各端部から後方に突出した結合片８に設けた孔に、ボディ１の上下方向の両端面における前端部に設けた結合爪９をそれぞれ係合させることにより結合される。
【００２３】
露出パネルＰは、図１（ｂ）に示すように本体モジュールＭの前面側を覆うパネル本体１０と、パネル本体１０の周囲に一体に形成された矩形枠状のプレート枠１９とを有する。パネル本体１０は、薄箱状に形成されており、種々の電気部品が実装されている回路基板（図示せず）等が収納された構成を有する。さらに、プレート枠１９の前面側にはプレート枠１９の前面の全域を覆う形で矩形枠状のプレートカバー２０が着脱自在に覆着される。プレート枠１９は、プレートカバー２０の背面の複数箇所に突設された係着爪（図示せず）が係合する係着孔１９ａ（図５参照）を具備している。
【００２４】
また、パネル本体１０の前壁の一部には透明な表示窓１１が配設されており、液晶パネルからなる映像表示部１２（図３参照）をパネル本体１０内における表示窓１１の後方に備えている。さらに、パネル本体１０の前壁には、後方にスピーカ１８ａ（図３参照）が配設されるスピーカ取付部１６と、操作手段１４（図３参照）を構成する操作ハンドル１５，１７と、後方にマイクロフォン１８ｂ（図３参照）が配設されるマイク用孔（図示せず）とが配設されている。なお、スピーカ１８ａおよびマイクロフォン１８ｂは、相手側装置との通話時に音声の入出力を行う音声入出力部１８を構成する。
【００２５】
ここで、本実施形態の本体モジュールＭは、壁面からの器体３の突出量を小さく抑え、且つ、一般に普及している埋込型の配線器具との外観上の統一感を出すとともに、取り付けに用いる部材の低コスト化を図るために、図１（ａ）のように壁内に設置された埋込型の配線器具用の埋込ボックスＳＢを用いて壁に取り付けられる。埋込ボックスＳＢは前面開口の箱状に形成されており、壁面を構成する壁材Ｗにおいて埋込ボックスＳＢに対応する部分には矩形状の施工孔２３が開設される。
【００２６】
本体モジュールＭは、この施工孔２３を通して前方から埋込ボックスＳＢに取り付けられるのであって、器体３が後部を埋込ボックスＳＢ内に収納可能な形状および寸法に形成されている。また、本実施形態では、本体モジュールＭの器体３は１連用の取付枠（図示せず）を２個まで取付可能な埋込ボックスＳＢに対応する大きさに形成されている。ここでいう１連用の取付枠とは、埋込型の配線器具用に規格化されている単位寸法の配線器具を幅方向（上下方向）に３個並べて取付可能な取付枠を意味しており、以下では、１連用の取付枠が左右方向に２個連接された寸法を「２連用」、３個連接された寸法を「３連用」と呼ぶ。すなわち、本実施形態の本体モジュールＭは２連用の埋込ボックスＳＢに取付可能な寸法に設定される。
【００２７】
より具体的に説明すると、図２（ａ）に示すように本体モジュールＭのカバー２は、上下方向の各端面のそれぞれから互いに離れる向きに延設された一対の取付片２４を連続一体に有する。一対の取付片２４は、カバー２の左右方向の略全長にわたって形成される。各取付片２４には、埋込型の配線器具を埋込ボックスＳＢに固定する際に用いられる取付枠と同様に、取付ねじ（図示せず）を挿通するボックス用孔２５がそれぞれ複数個（ここでは２個）ずつ形成されている。なお、各取付片２４はカバー２の他の部位に比較して前方に突出している。
【００２８】
上記構成の本体モジュールＭと露出パネルＰとのそれぞれには、互いに係合することで本体モジュールＭに露出パネルＰを装着する取付手段が設けられている。本体モジュールＭにおいては、図２（ａ）に示すように下側の取付片２４に設けた引掛孔２７と、上側の取付片２４に設けた取付孔２６とが取付手段として設けられている。引掛孔２７は左右方向に複数個並設されており、取付孔２６は一方のボックス用孔２５の両側に貫設されている。露出パネルＰにおいては、図２（ｂ）に示すように背面側の下端部であって各引掛孔２７に対応する位置からそれぞれ突出し先端部が下方に延長されており、先端部が引掛孔２７に挿入されることで引掛孔２７に引っ掛かる鉤片２９と、背面側の上端部であって各取付孔２６に対応する位置にそれぞれ突設された取付突起３０とが取付手段として設けられている。取付突起３０の先端部には上方に突出する係合爪が設けられており、係合爪は取付突起３０の基端部側ほど取付突起３０からの突出量が大きくなるように上面が傾斜している。
【００２９】
この構成により、本体モジュールＭの引掛孔２７に露出パネルＰの鉤片２９を引っ掛けた状態で、引掛孔２７を支点部として本体モジュールＭの前面の下辺周りで露出パネルＰを回転させるように露出パネルＰの上端部を本体モジュールＭ側に押し付けて、露出パネルＰの取付突起３０を本体モジュールＭの取付孔２６に挿入し、係合爪を取付孔２６に係合させれば、露出パネルＰが本体モジュールＭに装着されることとなる。
【００３０】
また、露出パネルＰは前面が３連用の埋込ボックスＳＢに取付可能な配線器具と同等の大きさに形成され、上下方向の寸法が本体モジュールＭよりやや大きく設定されている。したがって、露出パネルＰは本体モジュールＭの前面を覆う形で装着されることになる。
【００３１】
ここにおいて、情報通信装置Ａの内部回路は、本体モジュールＭと露出パネルＰとに分割して設けられている。
【００３２】
すなわち、本体モジュールＭは、図３に示すように電源スイッチＳＷを介して電源端子部５に接続され内部回路に直流電源を供給する電源回路３４（ＡＣ／ＤＣ電源部３４ａおよびＤＣ／ＤＣ電源部３４ｂ）と、情報の授受を行う情報口としての信号端子部６に接続された外部インタフェース部３７とを有している。電源スイッチＳＷについては後に詳述する。
【００３３】
一方、露出パネルＰは、図３に示すように、音声入出力部１８や映像表示部１２や操作手段１４等、電源回路３４から電力供給を受け情報の入出力を行う手段（情報入力手段および情報出力手段）の他、音声入出力部１８および映像表示部１２と外部インタフェース部３７とに接続され、音声信号や映像信号の入出力を行う信号処理部３５と、操作手段１４からの操作入力を受け付けて内部回路の各部の動作を制御する全体制御部３６とを備えている。信号処理部３５は、音声信号を増幅するアンプを含む音声処理部３５ａと、映像信号を復調する復調回路を含み映像表示部１２に映像を表示する映像伝送処理部３５ｂとを有している。なお、本実施形態では、信号線に音声信号と映像信号とが多重化されて伝送されており、そのため信号処理部３５には、音声処理部３５ａおよび映像伝送処理部３５ｂと外部インタフェース部３７との間に挿入され、多重化された音声信号と映像信号とを分離する多重分離部３５ｃが設けられている。
【００３４】
ここで、露出パネルＰは本体モジュールＭを接続するためのパネル側コネクタＣｐ１（図２（ｂ）参照）を有し、本体モジュールＭはパネル側コネクタＣｐ１に接続される本体側コネクタＣｍ１（図２（ａ）参照）を接続手段として有し、パネル側コネクタＣｐ１と本体側コネクタＣｍ１とを互いに接続することにより、本体モジュールＭと露出パネルＰとが互いに電気的に接続され、露出パネルＰには電源回路３４から直流電源が供給される。本体側コネクタＣｍ１には本体モジュールＭ内で外部インタフェース部３７および電源回路３４が接続されており、パネル側コネクタＣｐ１には露出パネルＰ内で全体制御部３６および信号処理部３５が接続されている。
【００３５】
以上説明した構成によれば、情報通信装置Ａは本体モジュールＭと露出パネルＰとに分割されているので、本体モジュールＭを共通の仕様としておくことにより、露出パネルＰのみの交換で情報通信装置Ａの機能（たとえば録画・再生機能の有無や映像表示部１２の画面サイズなど）を容易に変更することが可能となる。
【００３６】
ところで、本実施形態では、上述したように電源端子部５と電源回路３４との間に電源スイッチＳＷを有しているので、たとえば情報通信装置Ａのメンテナンス（修理や点検）、露出パネルＰの表面の清掃時等に、電源スイッチＳＷをオフすることにより電源回路３４への通電を遮断することが可能である。以下、電源スイッチＳＷの構成について詳述する。
【００３７】
本実施形態の電源スイッチＳＷは、図１（ａ）に示すようにヒンジレバー形の操作片３８を有したモーメンタリ型の押釦スイッチ（マイクロスイッチ）からなり、操作片３８に押圧力が作用していない状態では操作片３８の先端部がカバー２のスイッチ用孔３９を通して器体３の前面から突出するように配設されている。この電源スイッチＳＷは、操作片３８に押圧力が作用していない状態ではオフであって、操作片３８に対して先端部をスイッチ用孔３９内に押し込む向きの押圧力が作用した状態ではオンとなるものである。
【００３８】
さらに、露出パネルＰの背面においてスイッチ用孔３９と対向する部位には、第１の凹所４０が凹設されており、露出パネルＰを本体モジュールＭに装着した状態では、電源スイッチＳＷの操作片３８の先端部は凹所４０内に収納される。また、パネル本体１０の前面において凹所４０の下方となる部位には第２の凹所４１が凹設されており、第１および第２の両凹所４０，４１はパネル本体１０内で連通している。
【００３９】
ここで、露出パネルＰには、図１（ｂ）に示すように電源スイッチＳＷを操作するための操作子４２が設けられている。操作子４２は、パネル本体１０とは別体であって、図１（ａ）に示すように上下方向に沿って配設される長片４２ａと、長片４２ａの下端部から前方に延出された短片４２ｂとでＬ字状に形成されている。この操作子４２は、長片４２ａの上端部が第１の凹所４０内に配置されるとともに短片４２ｂが第２の凹所４１内に配置され、且つ短片４２ｂが凹所４１内で上下方向に移動可能となるようにパネル本体１０に保持されている。ここでは、短片４２ｂの前端部（以下、操作部４２ｃという）が操作窓としての第２の凹所４１の開口面から突出しており、前記操作部４２ｃを操作して操作子４２を上下方向にスライドさせることで、凹所４０に対する長片４２ａの挿入量を変化させることができる。
【００４０】
ここにおいて、電源スイッチＳＷの操作片３８の先端部は前方に凸となる弧状に湾曲しており、凹所４０への長片４２ａの挿入時には操作片３８の先端部が長片４２ａに押圧されることとなる。しかして、操作子４２が可動範囲の上端に位置する状態では操作片３８の先端部が長片４２ａによって凹所４０から押し出される向きに押圧されることで電源スイッチＳＷはオンし、操作子４２が可動範囲の下端に位置する状態では操作片３８の先端部が凹所４０内に復帰することで電源スイッチＳＷはオフする。なお、ここでは電源スイッチＳＷの操作片３８の移動方向（前後方向）と操作子４２の移動方向（上下方向）とは異なっているから、操作子４２は電源スイッチＳＷの操作片３８を押圧した状態で、操作片３８に押し戻されることなく電源スイッチＳＷをオンに保持する。また、操作片３８が左右方向に延長されるように電源スイッチＳＷの実装の向きを変更し、操作子４２を左右方向に移動させることで電源スイッチＳＷがオンオフされる構成としてもよい。
【００４１】
以上説明した構成によれば、操作子４２は露出パネルＰを本体モジュールＭに装着した状態で露出パネルＰの前面側から操作可能な位置に操作部４２ｃを具備しているのであって、この操作子４２の操作に応じて電源スイッチＳＷのオンオフが切り替わることとなるので、露出パネルＰを本体モジュールＭに装着したままの状態で、露出パネルＰの前面側から電源スイッチＳＷの操作が可能となる。すなわち、露出パネルＰを本体モジュールから取り外すことなく電源回路３４への通電を容易にオンオフすることができ、メンテナンスを行う場合などにおいて露出パネルＰの着脱に係るユーザの手間を軽減することができる。また、電源スイッチＳＷのオンオフ操作が簡単になったことにより、電源回路３４への通電のオンオフ操作を頻繁に行うことが可能となり、たとえば、ユーザは適宜に電源回路３４への通電をオフすることで、情報通信装置Ａの電力消費を抑えて節電を図ることができる。
【００４２】
しかも、本実施形態の構成では、操作子４２の操作部４２ｃを露出パネルＰの前面から突出させてあるから、ユーザは操作子４２を自身の手で直接操作することが可能であり、したがって、操作子４２の操作に専用の治具を必要とする場合に比べて電源スイッチＳＷのオンオフ操作をより簡単に行うことができるという利点がある。
【００４３】
なお、本実施形態では、電源スイッチＳＷを操作するための操作子４２を電源スイッチＳＷとは別体とする例を示したが、この例に限るものではなく、たとえば電源スイッチＳＷとして操作子を一体に有するスライドスイッチを用い、当該電源スイッチＳＷの操作子の前端部を露出パネルＰの前面から突出させる構成を採用してもよい。
【００４４】
（実施形態２）
本実施形態の情報通信装置Ａは、図４（ａ）に示すように露出パネルＰに操作窓４３を貫設し、この操作窓４３を通して電源スイッチＳＷの操作が可能となるようにした点が実施形態１の情報通信装置Ａと相違する。
【００４５】
ここにおいて、電源スイッチＳＷは実施形態１とは異なり、押釦形状の操作子４２を前面側に具備するオルタネート型の押釦スイッチからなり、操作子４２が押操作される度にオンオフが交互に切り替わるものである。この電源スイッチＳＷの操作子４２の前面（以下、操作部４２ｃという）は、本体モジュールＭの器体３に設けたスイッチ用孔３９から露出する。
【００４６】
操作窓４３は、パネル本体１０のうちスイッチ用孔３９に対応する部位に形成されパネル本体１０を前後方向に貫通するものであって、人の指が入らない程度の大きさに形成されている。つまり、電源スイッチＳＷの操作子４２は、操作窓４３を通して露出パネルＰの前面側に露出する位置に操作部４２ｃを具備することとなる。したがって、先端部が操作窓４３を通る太さの治具（たとえば精密ドライバなど）４４を操作窓４３に挿入し、この治具４４の先端で操作子４３を押操作することにより、電源スイッチＳＷをオンオフ操作することができる。なお、図４（ｂ）では円形状に開口する操作窓４３をパネル本体１０の下部に形成した例を示す。
【００４７】
この構成によれば、治具４４を用いることにより、露出パネルＰを装着したままの状態であっても、露出パネルＰの前面側から操作窓４３を通して電源スイッチＳＷを操作することが可能である。しかも、操作窓４３の奥に操作子４２が位置するため、操作子４２をユーザが指で直接操作することはできず、ユーザの手などが操作子４２に誤って接触しユーザが意図することなく電源回路３４への通電がオフされてしまうような事態を回避できるという利点がある。
【００４８】
なお、操作子４２の操作に用いられる治具４４が情報通信装置Ａに保持される構成としてもよく、この構成では治具４４の紛失を防止することができる。その他の構成および機能は実施形態１と同様である。
【００４９】
（実施形態３）
本実施形態の情報通信装置Ａは、図５（ａ）に示すように操作子４２の操作部が露出パネルＰのプレート枠１９のうちプレートカバー２０に覆われる位置に配置されている点が実施形態１の情報通信装置Ａと相違する。
【００５０】
ここでは、操作子４２は図５（ｂ）に示すように短冊状に形成されており、その下端部がパネル本体１０の背面に凹設された第１の凹所４０内に配置されるとともに上端部（以下、操作部４２ｃという）がプレート枠１９の前方に配置され、且つ上下方向に移動可能となるようにパネル本体１０に保持されている。これにより、操作部４２ｃを操作して操作子４２を上下方向にスライドさせることで、凹所４０に対する操作子４２の挿入量を変化させることができる。しかして、操作子４２が可動範囲の下端に位置する状態では操作片３８の先端部が操作子４２によって凹所４０から押し出される向きに押圧されることで電源スイッチＳＷはオンし、操作子４２が可動範囲の上端に位置する状態では操作片３８の先端部が凹所４０内に復帰することで電源スイッチＳＷはオフする。
【００５１】
上述の構成によれば、露出パネルＰの前面側にプレート枠１９の前面を覆うプレートカバー２０が装着された状態では、操作子４２は操作部４２ｃがプレートカバー２０に覆われて操作不能となり、一方、図５（ｂ）に示すようにプレート枠１９からプレートカバー２０を外した状態では、操作子４２は操作部４２ｃが露出して操作可能となる。言い換えれば、プレートカバー２０は、露出パネルＰに対して操作子４２の操作部４２ｃを覆うように取り付けられる蓋体として機能する。要するに、露出パネルＰを本体モジュールＭに装着したままの状態であっても、プレートカバー２０を外すだけで露出パネルＰの前面側から電源スイッチＳＷの操作が可能となる。しかも、情報通信装置Ａの普段の使用中においては、プレートカバー２０を装着しておくことで操作子４２の操作が禁止され、電源回路３４への通電が不用意にオフされてしまうことを回避できるという利点がある。
【００５２】
また、本実施形態では、操作子４２が可動範囲の上端に位置して電源スイッチＳＷがオフする状態において、図５（ａ）に示すように操作子４２の操作部４２ｃがプレートカバー２０と干渉することでプレートカバー２０を装着できなくなるように、操作子４２の可動範囲を設定してある。この構成によれば、電源スイッチＳＷがオフのままでプレートカバー２０が装着されることを阻止でき、電源スイッチＳＷの入れ忘れを防止することができる。
【００５３】
その他の構成および機能は実施形態１と同様である。
【００５４】
ところで、上記各実施形態では、本体モジュールＭを埋込型とした情報通信装置Ａについて説明したが、本体モジュールＭは埋込型に限るものではなく、図６に示すように壁面に背面を対向させる形で壁に固定される露出型の本体モジュールＭを備えた情報通信装置Ａに本発明を適用してもよい。なお、図６では電源スイッチの図示を省略している。
【００５５】
また、上記各実施形態では、インターホン親機としての情報通信装置Ａに本発明を適用する例を示したが、この例に限るものではなく、たとえば太陽光発電の発電量等の情報を監視して表示する装置など、種々の情報通信装置Ａに本発明を適用することができる。
【図面の簡単な説明】
【００５６】
【図１】本発明の実施形態１の構成を示し、（ａ）は概略断面図、（ｂ）は斜視図である。
【図２】同上の構成を示し、（ａ）は本体モジュールの斜視図、（ｂ）は露出パネルの斜視図である。
【図３】同上の構成を示す概略ブロック図である。
【図４】本発明の実施形態２の構成を示し、（ａ）は概略断面図、（ｂ）は斜視図である。
【図５】本発明の実施形態３の構成を示し、（ａ）は概略断面図、（ｂ）は斜視図である。
【図６】同上の他の構成例を示し、（ａ）は前面側から見た斜視図、（ｂ）は背面側から見た斜視図である。
【符号の説明】
【００５７】
２０  プレートカバー
４２  操作子
４２ｃ  操作部
４３  操作窓
４４  治具
Ａ  情報通信装置
Ｍ  本体モジュール
Ｐ  露出パネル
ＳＷ  電源スイッチ
【図１】
0005281305.tif 000002
【図２】
0005281305.tif 000003
【図３】
0005281305.tif 000004
【図４】
0005281305.tif 000005
【図５】
0005281305.tif 000006
【図６】
0005281305.tif 000007